【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
コンピュータと、
前記コンピュータに接続され、識別画像が貼付されたカードを撮像する撮像手段と、
前記コンピュータに接続された表示装置とを有する画像表示システムにおいて、
前記撮像手段からの前記カードの画像を含む撮像画像の画像データを前記表示装置に出力して、該表示装置に前記撮像画像を表示させる撮像画像表示制御手段と、
前記撮像画像の画像データから前記カードに貼付された前記識別画像の画像データを探知する探知手段と、
前記探知手段が探知した前記識別画像の画像データから前記カードの識別情報を定期的あるいは不定期に検出する識別情報検出手段と、
前記表示装置に表示された前記カードの識別画像上に、該カードの前記識別情報に対応するオブジェクトの画像を重畳して表示するように制御するオブジェクト表示制御手段と、
前記オブジェクト表示制御手段にて前記オブジェクトの画像が表示された後に、前記識別情報検出手段による前記定期的あるいは不定期の前記カードの識別情報の検出において、前記カードの識別情報が検出されなかった場合に、前記オブジェクトの画像の代わりに、前記特定の画像の表示を行うように制御する特定画像表示制御手段とを有することを特徴とする画像表示システム。
【請求項２】
請求項１記載の画像表示システムにおいて、
前記識別情報検出手段による前記定期的あるいは不定期の前記カードの識別情報の検出において、前記カードの識別情報が検出されなかった場合に、該カードの座標を保持し、
前記特定画像表示制御手段は、前記オブジェクトの画像の代わりに、前記特定の画像が浮遊する表示を行うように制御することを特徴とする画像表示システム。
【請求項３】
請求項２記載の画像表示システムにおいて、
前記特定画像表示制御手段は、
前記特定の画像を浮遊して動作させるための動作データ列を読み出す動作データ列読出し手段と、
前記読み出された動作データ列に基づいて前記特定の画像が浮遊して動く過程の１つの姿勢を設定する姿勢設定手段と、
前記１つの姿勢が設定された前記特定の画像のデータを画像メモリに描画する特定画像描画手段と、
前記画像メモリに描画された前記１つの姿勢が設定された前記特定の画像を表示するように制御する特定画像表示手段とを有し、
前記姿勢設定手段、前記特定画像描画手段、前記特定画像表示手段からなる一連の動作を繰り返して、前記特定の画像が浮遊する表示を行うように制御することを特徴とする画像表示システム。
【請求項４】
請求項１記載の画像表示システムにおいて、
前記特定画像表示制御手段の制御によって前記特定の画像が表示された後に、前記識別情報検出手段による前記定期的あるいは不定期の前記カードの識別情報の検出において、前記カードの識別情報が検出された場合に、前記カードの識別画像上に、該カードの識別情報に対応した前記オブジェクトの画像を重畳して表示するように制御する手段を有することを特徴とする画像表示システム。
【請求項５】
請求項１記載の画像表示システムにおいて、
前記特定画像表示制御手段は、前記特定の画像が浮遊する表示を行い、
前記識別情報検出手段による前記定期的あるいは不定期の前記カードの識別情報の検出において、前記カードの識別情報が検出された場合に、
浮遊する前記特定の画像から前記オブジェクトの画像を出現させる表示を行い、その後、前記オブジェクトの画像を前記カードの識別画像上に着地させる表示を行うように制御する第２のオブジェクト表示制御手段を有することを特徴とする画像表示システム。
【請求項６】
請求項５記載の画像表示システムにおいて、
前記第２のオブジェクト表示制御手段は、
前記特定の画像から出現した前記オブジェクトの画像が前記カードの識別画像上に着地するまでの動作データ列を読み出す動作データ列読出し手段と、
前記読み出された動作データ列に基づいて前記オブジェクトの画像が前記カードの識別画像上に着地する過程の１つの姿勢を設定する姿勢設定手段と、
前記１つの姿勢が設定された前記オブジェクトの画像のデータを画像メモリに描画するオブジェクト描画手段と、
前記画像メモリに描画された前記１つの姿勢が設定された前記オブジェクトの画像を表示するように制御するオブジェクト表示手段とを有し、
前記姿勢設定手段、前記オブジェクト描画手段、前記オブジェクト表示手段からなる一連の動作を繰り返して、前記特定の画像から出現した前記オブジェクトの画像が前記カードの識別画像上に着地するまでの表示を行うように制御することを特徴とする画像表示システム。
【請求項７】
請求項１記載の画像表示システムにおいて、
前記特定画像表示制御手段は、前記特定の画像の画像を表示した時点から所定時間が経過した時点で前記特定の画像の画像を消去する表示を行うように制御することを特徴とする画像表示システム。
【請求項８】
コンピュータと、
前記コンピュータに接続され、それぞれ識別画像が貼付され、且つ、円陣に配列された複数のカードを撮像する撮像手段と、
前記コンピュータに接続された表示装置とを有する画像表示システムにおいて、
前記撮像手段からの前記複数のカードの識別画像を含む撮像画像の画像データを前記表示装置に出力して、該表示装置に前記撮像画像を表示させる撮像画像表示制御手段と、
前記撮像画像の画像データから前記複数のカードに貼付された各識別画像の画像データを探知する探知手段と、
前記探知手段が探知した前記識別画像の画像データから前記カードの識別情報を検出する識別情報検出手段と、
表示された前記複数のカードの識別画像上に、それぞれカードの識別情報に対応するオブジェクトの画像を重畳して表示するように制御するオブジェクト表示制御手段と、
表示された前記オブジェクトの画像が前記円陣の中心位置まで移動する表示を行うように制御するオブジェクト移動表示制御手段とを有することを特徴とする画像表示システム。
【請求項９】
コンピュータと、
前記コンピュータに接続され、識別画像が貼付されたカードを撮像する撮像手段と、
前記コンピュータに接続された表示装置とを有する画像表示システムを、
前記撮像手段からの前記カードの画像を含む撮像画像の画像データを前記表示装置に出力して、該表示装置に前記撮像画像を表示させる撮像画像表示制御手段、
前記撮像画像の画像データから前記カードに貼付された前記識別画像の画像データを探知する探知手段、
前記探知手段が探知した前記識別画像の画像データから前記カードの識別情報を定期的あるいは不定期に検出する識別情報検出手段、
前記表示装置に表示された前記カードの識別画像上に、該カードの前記識別情報に対応するオブジェクトの画像を重畳して表示するように制御するオブジェクト表示制御手段、
前記オブジェクト表示制御手段にて前記オブジェクトの画像が表示された後に、前記識別情報検出手段による前記定期的あるいは不定期の前記カードの識別情報の検出において、前記カードの識別情報が検出されなかった場合に、前記オブジェクトの画像の代わりに、前記特定の画像の表示を行うように制御する特定画像表示制御手段、
として機能させるためのプログラムが記録されたコンピュータ読取り可能な記録媒体。
【請求項１０】
コンピュータと、
前記コンピュータに接続され、それぞれ識別画像が貼付され、且つ、円陣に配列された複数のカードを撮像する撮像手段と、
前記コンピュータに接続された表示装置とを有する画像表示システムを、
前記撮像手段からの前記複数のカードの識別画像を含む撮像画像の画像データを前記表示装置に出力して、該表示装置に前記撮像画像を表示させる撮像画像表示制御手段、
前記撮像画像の画像データから前記複数のカードに貼付された各識別画像の画像データを探知する探知手段、
前記探知手段が探知した前記識別画像の画像データから前記カードの識別情報を検出する識別情報検出手段、
表示された前記複数のカードの識別画像上に、それぞれカードの識別情報に対応するオブジェクトの画像を重畳して表示するように制御するオブジェクト表示制御手段、
表示された前記オブジェクトの画像が前記円陣の中心位置まで移動する表示を行うように制御するオブジェクト移動表示制御手段、
として機能させるためのプログラムが記録されたコンピュータ読取り可能な記録媒体。
【請求項１１】
コンピュータと、
前記コンピュータに接続され、識別画像が貼付されたカードを撮像する撮像手段と、
前記コンピュータに接続された表示装置とを有する画像表示システムを、
前記撮像手段からの前記カードの画像を含む撮像画像の画像データを前記表示装置に出力して、該表示装置に前記撮像画像を表示させる撮像画像表示制御手段、
前記撮像画像の画像データから前記カードに貼付された前記識別画像の画像データを探知する探知手段、
前記探知手段が探知した前記識別画像の画像データから前記カードの識別情報を定期的あるいは不定期に検出する識別情報検出手段、
前記表示装置に表示された前記カードの識別画像上に、該カードの前記識別情報に対応するオブジェクトの画像を重畳して表示するように制御するオブジェクト表示制御手段、
前記オブジェクト表示制御手段にて前記オブジェクトの画像が表示された後に、前記識別情報検出手段による前記定期的あるいは不定期の前記カードの識別情報の検出において、前記カードの識別情報が検出されなかった場合に、前記オブジェクトの画像の代わりに、前記特定の画像の表示を行うように制御する特定画像表示制御手段、
として機能させるためのプログラム。
【請求項１２】
コンピュータと、
前記コンピュータに接続され、それぞれ識別画像が貼付され、且つ、円陣に配列された複数のカードを撮像する撮像手段と、
前記コンピュータに接続された表示装置とを有する画像表示システムを、
前記撮像手段からの前記複数のカードの識別画像を含む撮像画像の画像データを前記表示装置に出力して、該表示装置に前記撮像画像を表示させる撮像画像表示制御手段、
前記撮像画像の画像データから前記複数のカードに貼付された各識別画像の画像データを探知する探知手段、
前記探知手段が探知した前記識別画像の画像データから前記カードの識別情報を検出する識別情報検出手段、
表示された前記複数のカードの識別画像上に、それぞれカードの識別情報に対応するオブジェクトの画像を重畳して表示するように制御するオブジェクト表示制御手段、
表示された前記オブジェクトの画像が前記円陣の中心位置まで移動する表示を行うように制御するオブジェクト移動表示制御手段、
として機能させるためのプログラム。
【手続補正２】
【補正対象書類名】明細書
【補正対象項目名】発明の名称
【補正方法】変更
【補正の内容】
【発明の名称】画像表示システム、記録媒体及びプログラム
【手続補正３】
【補正対象書類名】明細書
【補正対象項目名】０００１
【補正方法】変更
【補正の内容】
【０００１】
本発明は、机やテーブル等の上に置かれたカードを撮像し、その撮像した映像と共に、カードに貼付された識別画像で特定される識別番号に対応するオブジェクトの三次元画像を表示する画像表示システム、記録媒体及びプログラムに関する。
【手続補正４】
【補正対象書類名】明細書
【補正対象項目名】０００５
【補正方法】変更
【補正の内容】
【０００５】
本発明は、上述した特許文献２の方法をさらに発展させて、様々なビデオゲームに簡単に適用させることができ、ビデオゲームの範疇の拡大化、多様化を図ることができる画像表示システム、記録媒体及びプログラムを提供することを目的とする。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明に係る画像表示システム、記録媒体及びプログラムは、撮像手段からの撮像画像から複数のカードの配置方向を検出し、複数のカードの配置方向から前記撮像された画像上の所定位置を決定し、表示された複数のオブジェクトが前記所定位置まで移動する表示を行う。これは、例えばビデオゲームであれば、表示されている複数のオブジェクトが複数のカードの配置方向に基づいて特定された場所に移動して戦闘を行う等の表示が行われ、この場合も対戦ゲーム等に好適である。
【手続補正１０】
【補正対象書類名】明細書
【補正対象項目名】００１２
【補正方法】変更
【補正の内容】
【００１２】
本発明に係る画像表示システム、記録媒体及びプログラムは、カードの画像上に該カードの識別情報に対応するオブジェクトを表示させた後に、当該カードの識別情報が検出されなくなったとき、前記オブジェクトの代わりに特定の画像を表示する。これは、オブジェクトが表示されたカードをユーザが動かしてしまった場合や撮像手段を不意に動かしてしまった場合等において、カードの画像上にオブジェクトを重畳させて表示させることが困難になるためであり、カードの識別情報が正しく検出されるまで代わりに特定の画像を表示させて、ユーザにカードに対する認識ができなくなっていることを示すことができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】変更
【補正の内容】
【００２５】
以上説明したように、本発明に係る画像表示システム、記録媒体及びプログラムによれば、様々なビデオゲームに簡単に適用させることができ、ビデオゲームの範疇の拡大化、多様化を図ることができる。
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】変更
【補正の内容】
【００２７】
以下、本発明に係る画像表示システム、記録媒体及びプログラムをビデオゲームシステムに適用した実施の形態例を図１〜図４４を参照しながら説明する。
【手続補正２５】
【補正対象書類名】明細書
【補正対象項目名】０１７５
【補正方法】変更
【補正の内容】
【０１７５】
なお、本発明に係る画像表示システム、記録媒体及びプログラムは、上述の実施の形態に限らず、本発明の要旨を逸脱することなく、種々の構成を採り得ることはもちろんである。